(57)【要約】【課題】火災等の災害に遭遇したときに、簡易かつ迅速に呼吸を確保すると共に眼を保護し、緊急連絡先に対し迅速に連絡可能であると共に、緊急連絡先や同一災害に遭遇している他の人等と容易に連絡が取れ、避難経路等の誘導が行え、現場の確認ができる携帯型防災具、防災システム及び携帯通話装置を提供する。【解決手段】マスクユニット１は、折り畳まれたマスク３をアイカバー５が覆うように構成されており、マスク３は、マスク本体６と、フィルター箱７から構成されている。フィルター箱７にはフィルター８が収納されており、通気口としてフィルター開口部９Ａ、９Ｂ、９Ｃが設けられている。【選択図】        図１
2004313532.tif 000002
【特許請求の範囲】
【請求項１】
災害時に装着され、人の口及び／又は鼻を被うマスクと、
該マスクに所定の開口部を介して連通され、吸引された外気を濾過することで人の安全な呼吸を確保するフィルターとを備えたことを特徴とする携帯型防災具。
【請求項２】
前記フィルターの開口部周囲を人の顔に対し密着させる密着手段を備えたことを特徴とする請求項１記載の携帯型防災具。
【請求項３】
前記マスク及び／又は前記フィルターは使用時に開放自在なように折り畳まれたことを特徴とする請求項１又は請求項２記載の携帯型防災具。
【請求項４】
前記折り畳まれたマスク及び／又はフィルターは、眼を保護することの可能なアイカバーにより被覆され、該アイカバーは前記マスク及び／又はフィルターより取り外し自在であることを特徴とする請求項３記載の携帯型防災具。
【請求項５】
前記マスク及び／又は前記フィルターは通話の可能な携帯電話等を含む携帯通話手段と連結自在又は予め固着されたことを特徴とする請求項１、２、３又は４記載の携帯型防災具。
【請求項６】
前記連結のされたとき、予め指定した相手先への自動接続による連絡、通話、位置情報の確認及びカメラにより撮像された画像の送信のいずれか少なくとも一つが可能であることを特徴とする請求項５記載の携帯型防災具。
【請求項７】
前記フィルターは前記携帯通話手段の前面及び／又は裏面に配設され、前記携帯通話手段を介して空気が流通されることを特徴とする請求項５又は請求項６記載の携帯型防災具。
【請求項８】
前記マスクと前記フィルターとは着脱自在であることを特徴とする請求項１〜７のいずれか１項に記載の携帯型防災具。
【請求項９】
請求項５〜請求項８のいずれか１項に記載の携帯型防災具を適用した防災システムであって、
該携帯型防災具は、互いの間及び／又は所定のセンターとの間で交信が可能であることを特徴とする防災システム。
【請求項１０】
前記確認された位置情報に基づき該位置の属する地図画像及び／又は建屋配置図が表示されることを特徴とする請求項９記載の防災システム。
【請求項１１】
前記地図画像及び／又は建屋配置図には、災害発生地点が表示されることを特徴とする請求項１０記載の防災システム。
【請求項１２】
固定電話及び／又は携帯電話の電話番号と、
該電話番号の持ち主等について予め登録された登録情報と、
前記電話番号を基に前記登録情報を判断する判断手段と、
災害の際に掛かってきた前記電話番号を基に該判断手段で判断された前記登録情報を表示する表示手段を備えたことを特徴とする防災システム。
【請求項１３】
携帯電話ユニットと、
該携帯電話ユニットに配設された第１の無線交信手段と、
前記携帯電話ユニットと独立して構成され、マイク、スピーカ及びカメラのいずれか少なくとも一つが配設されたアダプタと、
該アダプタに配設され、前記マイク、スピーカ及びカメラと接続され、かつ前記第１の無線交信手段と無線交信の可能な第２の無線交信手段とを備えたことを特徴とする携帯通話装置。
【請求項１４】
前記アダプタには、該アダプタを耳に掛ける耳掛け手段を備えたことを特徴とする請求項１３記載の携帯通話装置。
【発明の詳細な説明】
【０００１】
【発明の属する技術分野】
本発明は携帯型防災具、防災システム及び携帯通話装置に係わり、特に火災等の災害に遭遇したときに、簡易かつ迅速に呼吸を確保すると共に眼を保護し、緊急連絡先に対し迅速に連絡可能であると共に、緊急連絡先や同一災害に遭遇している他の人等と容易に連絡が取れ、避難経路等の誘導が行え、現場の確認ができる携帯型防災具、防災システム及び携帯通話装置に関する。
【０００２】
【従来の技術】
従来、有毒ガスの発生する作業現場では、大きなフィルター缶を装備した防毒マスク等が知られている。これらは、高性能の防毒効果を有しているが、その大きさ及び重量から、持ち運びに便利であるとは言い難い。
【０００３】
【発明が解決しようとする課題】
ところで、近年の火災において、その被害の多くは、炎上時に発生する粉塵及び有毒ガスによって、眼を痛めてしまったり、呼吸困難や中毒を起こしてしまうものである。しかし、通常各人が携帯しているようなハンカチやガーゼマスク等では、有毒ガスに対する防護は不完全であり、また、眼を保護することはできない。
【０００４】
更に、建物の高層化や、構造の複雑化、地下街の発達に伴い、災害によるパニック状態に陥った被災者が、現在位置を把握できずに、脱出路を発見できないまま迷ってしまったり、救助者側が被災者の位置を特定できずに救助が遅れてしまうことがある。
【０００５】
本発明はこのような従来の課題に鑑みてなされたもので、火災等の災害に遭遇したときに、簡易かつ迅速に呼吸を確保すると共に眼を保護し、緊急連絡先に対し迅速に連絡可能であると共に、緊急連絡先や同一災害に遭遇している他の人等と容易に連絡が取れ、避難経路等の誘導が行え、現場の確認ができる携帯型防災具、防災システム及び携帯通話装置を提供することを目的とする。
【０００６】
【課題を解決するための手段】
このため本発明（請求項１）は、災害時に装着され、人の口及び／又は鼻を被うマスクと、該マスクに所定の開口部を介して連通され、吸引された外気を濾過することで人の安全な呼吸を確保するフィルターとを備えて構成した。
【０００７】
マスクは、通常風邪等に用いられる防塵型のものであってもよいが、立体形のもの等であってもよい。外部からの汚染された空気の進入を防ぐため通気性のないものが使用されてもよい。このことにより、災害時に簡単に装着でき、簡易に使用できる。
【０００８】
また、本発明（請求項２）は、前記フィルターの開口部周囲を人の顔に対し密着させる密着手段を備えて構成した。
【０００９】
隙間から粉塵や有毒ガスが侵入することを防止する。更に、激しい動きにも対応でき、はずれてしまうことがない。
【００１０】
更に、本発明（請求項３）は、前記マスク及び／又は前記フィルターは使用時に開放自在なように折り畳まれたことを特徴とする。
【００１１】
コンパクトな形状であり、邪魔にならずに常に携帯することができる。また、フィルター部分をマスクで密封すればフィルターの防湿機能も有する。
【００１２】
更に、本発明（請求項４）は、前記折り畳まれたマスク及び／又はフィルターは、眼を保護することの可能なアイカバーにより被覆され、該アイカバーは前記マスク及び／又はフィルターより取り外し自在であることを特徴とする。
【００１３】
災害時に発生する粉塵や有毒ガスから眼を保護し、避難時に視界を確保できる。また、マスク及び／又はフィルターとともに携帯し使用することで、防護効果が増大する。フィルター部分をアイカバーで密封すればフィルターの防湿機能も有する。
【００１４】
更に、本発明（請求項５）は、前記マスク及び／又は前記フィルターは通話の可能な携帯電話等を含む携帯通話手段と連結自在又は予め固着されたことを特徴とする。
【００１５】
使用者は、携帯通話手段を手に持たずに通話が可能となるため、両手のあいた状態で避難や救助を行うことができる。通報のために電話器を持っている時間が省け、この時間を避難等に利用できる。
【００１６】
更に、本発明（請求項６）は、前記連結のされたとき、予め指定した相手先への自動接続による連絡、通話、位置情報の確認及びカメラにより撮像された画像の送信のいずれか少なくとも一つが可能であることを特徴とする。
【００１７】
予め指定した相手先への自動接続を可能とすることで、使用者が混乱状態にあった場合でも確実に連絡等できる。自動接続されている時間分時間に余裕ができ、この時間を避難等に当てることができる。カメラにより撮像された画像が送信されることで、現場の様子を的確に知ることができる。誤報等の確認も可能である。
【００１８】
更に、本発明（請求項７）は、前記フィルターは前記携帯通話手段の前面及び／又は裏面に配設され、前記携帯通話手段を介して空気が流通されることを特徴とする。
【００１９】
フィルターを携帯通話手段と一体化させることで、迅速な使用が可能である。
【００２０】
更に、本発明（請求項８）は、前記マスクと前記フィルターとは着脱自在であることを特徴とする。
【００２１】
フィルターを交換することで、使用時間を延長することが容易にできる。
【００２２】
更に、本発明（請求項９）は、請求項５〜請求項８のいずれか１項に記載の携帯型防災具を適用した防災システムであって、該携帯型防災具は、互いの間及び／又は所定のセンターとの間で交信が可能であることを特徴とする。
【００２３】
互いの間や所定のセンターとの間で交信を可能としたことで、避難や救助が円滑に行える。
【００２４】
更に、本発明（請求項１０）は、前記確認された位置情報に基づき該位置の属する地図画像及び／又は建屋配置図が表示されることを特徴とする。
【００２５】
地図画像や建屋配置図に位置情報を示して表示することで、センター等では迅速な対応を確実に取ることができる。
【００２６】
更に、本発明（請求項１１）は、前記地図画像及び／又は建屋配置図には、災害発生地点が表示されることを特徴とする。
【００２７】
災害発生地点をも表示することで、被災者の位置関係から避難先や避難方向を的確に誘導できる。
【００２８】
更に、本発明（請求項１２）は、固定電話及び／又は携帯電話の電話番号と、該電話番号の持ち主等について予め登録された登録情報と、前記電話番号を基に前記登録情報を判断する判断手段と、災害の際に掛かってきた前記電話番号を基に該判断手段で判断された前記登録情報を表示する表示手段を備えて構成した。
【００２９】
被災者等の情報が表示されることで、救助等の際の判断を的確に行うことができる。
【００３０】
更に、本発明（請求項１３）は、携帯電話ユニットと、該携帯電話ユニットに配設された第１の無線交信手段と、前記携帯電話ユニットと独立して構成され、マイク、スピーカ及びカメラのいずれか少なくとも一つが配設されたアダプタと、該アダプタに配設され、前記マイク、スピーカ及びカメラと接続され、かつ前記第１の無線交信手段と無線交信の可能な第２の無線交信手段とを備えて構成した。
【００３１】
アダプタを利用して携帯電話ユニットとの間で無線交信を行い音楽等を聞いたり、通話が可能である。携帯電話ユニットに音楽ファイル等が保存されてもよいし、音楽ファイル等は外部記憶媒体から読み込まれるようにしてもよい。また、音楽ファイル等はインターネットによりダウンロードされてもよい。カメラで撮像した映像も携帯電話ユニットを介して通話先に送信可能である。
【００３２】
なお、マイクは、耳孔に挿入され、骨伝導により声を拾うように構成されてもよい。また、マイクをアダプタから引き出し自在とし、口元に近ずけるようにしてもよい。
【００３３】
更に、本発明（請求項１４）は、前記アダプタには、該アダプタを耳に掛ける耳掛け手段を備えたことを特徴とする。
【００３４】
アダプタを耳に掛けることで、音楽を楽に聞けたり、通話も携帯電話ユニットを持たずに行える。カメラで撮像された映像は、丁度人の高さでの撮像となるので、現実感覚に富んだ映像を相手方に伝えることができる。
【００３５】
【発明の実施の形態】
次に、本発明の第１実施形態について説明する。図１は、本発明の第１実施形態であるマスクユニット１の側面図であり、図２はその正面図である。マスクユニット１は、折り畳まれたマスク３をアイカバー５が覆うように構成されており、展開したアイカバー５の様子を図３に、マスク３の様子を図４に示す。
【００３６】
図３に示すように、アイカバー５は一部材からなるめがね状であり、装着時に顔に密着する平面部５Ａと、図１に示すように平面部５Ａに対して外側に凸に湾曲した、皿状の眼周部５Ｂからなっている。更に、アイカバー５の眼周部５Ｂを囲うように粘着部１５が配設されている。
【００３７】
アイカバー５の両端部には、開封片１０が配設されており、使用時に引っ張ることでアイカバー５を展開し、マスク３と分離することができるようになっている。
【００３８】
なお、アイカバー５とマスク３を分離するまでは、アイカバー５によってマスク３は密封された状態となっており、フィルター８が外気と触れて吸湿することを防止できるようにもなっている。
【００３９】
アイカバー５の中央下部は切り欠かれており、ここに使用者の鼻を当て、眼部周囲に粘着部１５を押し当てることによって装着できるようになっている。
【００４０】
図１及び図４に示すように、マスク３は、マスク本体６と、フィルター箱７から構成されている。フィルター箱７にはフィルター８が収納されており、通気口としてフィルター開口部９Ａ、９Ｂ、９Ｃが設けられている。
【００４１】
開口部９Ｃによって外部より空気を取り入れ、フィルター８を介した空気を開口部９Ａ、９Ｂより、鼻及び口へと供給できるようになっている。
【００４２】
フィルター８は、活性炭の多層構造となっており、火災等の災害時における防塵及び防毒の機能を有している。
【００４３】
開封片１０を引っ張り、アイカバー５を分離しただけでは、マスク本体６は折り畳まれてフィルター箱７に付設している状態となっている。このとき、マスク本体６の外部には装着ひも２１が折り畳まれている。
【００４４】
マスク３を使用するときには、この装着ひも２１をマスク本体６よりはがして広げ、耳に掛けて使用するようになっている。装着ひも２１は、部分的にアイカバー５の粘着部１５と仮止めされており、アイカバー５とマスク３が分離されるときにマスク本体６より引きはがされ、装着し易くなるようになっている。
【００４５】
図４の破線で示すように、装着ひも２１を広げることで、マスク本体６を展開することができるようになっている。図５はそのときの様子である。なお、装着ひもは細いゴム状でもよいし、幅広のバンド状でもよい。
【００４６】
展開したマスク本体６には、鼻及び口を囲むように、口部粘着部２７が配設されている。口部粘着部２７を使用者の顔に押しつけることで、鼻及び口周囲とマスク３を密着させることが可能となっている。
【００４７】
フィルター箱７の開口部９のうち、外部より空気を取り入れる開口部９Ｃは、マスク本体６と接触しない位置に開口しているが、供給口である開口部９Ａ、９Ｂはマスク本体６の、口部粘着部２７によって囲まれた部分とのみ連通するようになっている。フィルター８を通った空気のみが供給されるように、マスク本体６の素材は外気を透過しない気密性シートが用いられている。
【００４８】
しかしながら、マスク本体６にもフィルター機能を持たせることで、通気性を有する素材を用いることも可能である。
【００４９】
また、マスク本体６に水分を供給するための水袋等を配設し、使用時にマスク本体６を湿らせるような機構を設けることで、機密性やフィルター機能を有しない素材を用いることも可能となる。
【００５０】
本実施形態において、マスクユニット１はアイカバー５及びマスク３のみでの使用も可能であるが、図６に示すような、携帯電話３０と連動して使用することも可能となっている。携帯電話３０と連動させることで、緊急時の通報及び通話が、自動で素早くかつハンドフリーで行えるようになっている。なお、携帯電話３０は、折りたたみ式に限ったものではない。
【００５１】
図６（ａ）は携帯電話３０の側面図であり、図６（ｂ）は正面図である。そして、マスクユニット１に配設されたフィルター箱７が、携帯電話３０と連結するようになっている。携帯電話３０にマスク３が装着された状態を図７に示す。
【００５２】
携帯電話３０の上面両端部には、フィルター箱７と嵌合するための嵌合溝３１が刻設されている。図８は、図７中のＡ−Ａ矢視線断面図であり、携帯電話３０とフィルター箱７が嵌合した状態を示している。
【００５３】
嵌合溝３１の図６中下端部には中央に向けて凸状の板バネ３３が配設されている。また、携帯電話３０の図６中下端部にはスイッチ穴３５が開口している。
【００５４】
図５において、フィルター箱７の図中下方両側部には、切り欠き２３が形成されている。フィルター箱７は、図６中上方より下方に向けて携帯電話３０に挿入されるようになっており、切り欠き２３には携帯電話３０の板バネ３３が嵌合できるようになっている。
【００５５】
図９に、携帯電話３０にマスク３が装着されたときの、通報システムのブロック図を示す。図５においてフィルター箱７の図中下端部には突設棒２５が配設されており、フィルター箱７が完全に挿入されると、携帯電話３０のスイッチ穴３５に嵌入し、図９に示す通報スイッチ３７が入るようになっている。
【００５６】
通報スイッチ３７が入ると特定のセンターや消防署といった、指定の電話番号の呼出回路に通電し、通信回路に接続するようになっている。通信回路からは音声のみでなく図７に示すように、携帯電話３０に内蔵された携帯電話カメラ３９によって現場の様子を映像で送ることも可能となっている。また、同時に、携帯電話３０よりフラッシュ及び間欠音を発生する回路にも通電するようになっている。
【００５７】
なお、マスク３におけるフィルター８の取り付け位置は、マスク本体６の内側にしてもよい。その場合、口、鼻等の形状に合わせた形とし、隙間から外気の進入を防ぐことが望ましい。
【００５８】
次に、本実施形態の作用について説明する。マスクユニット１は、折り畳まれた状態で、軽いコンパクトな箱型であり、鞄やポケット等に収納可能である。また、今日、携帯電話３０も各人が常に携帯しているものの一つである。従って、常備することが負担にならず、常に持ち歩くことが可能である。
【００５９】
図１０は、アイカバー５及び携帯電話と連動させたマスク３を装着したときの様子を示す。
【００６０】
使用者は図１の矢印で示すように、開封片１０を両側へと引っ張りアイカバー５を展開し、マスクユニット１を開封する。アイカバー５の中心部の切り欠きによって使用者はその中心を容易に判断できるため、その部分を各人の鼻部の中央に合わせてアイカバー５を顔へと押し当て、粘着部１５によって接着させる。アイカバー５の眼周部５Ｂは突設しているため、眼部に触れて邪魔になることはない。
【００６１】
次に、マスク３を携帯電話３０に装着させる。フィルター箱７を、携帯電話３０に挿入すると、フィルター箱７の切り欠き２３に携帯電話３０の板バネ３３が嵌合し、固定される。同時に、フィルター箱７の下端に突設した突設棒２５は携帯電話３０に開口したスイッチ穴３５へと嵌入し、通報スイッチ３７が通電する。
【００６２】
フィルター８は、空気を透過し、かつ粉塵を吸着するために、多孔質である活性炭を用いる。更に、一酸化炭素酸化触媒であるホプカライトを担持した層を介在させ、一酸化炭素を無毒化する。また、金属酸化物担持層により、各種有毒ガスを吸着する。
【００６３】
なお、粉塵の吸着には、多孔質セラミックス粉末や、多孔質高分子膜を用いてもよい。有毒ガスの吸着には、金属酸化物担持活性炭の他、ゼオライト等を用いてもよいし、ゼオライトを活性炭に担持してもよい。
【００６４】
通報スイッチ３７が通電すると、自動で、図９に示すように呼出回路が作動して所定機関への通報が行われる。また、携帯電話３０に内蔵された、携帯電話カメラ３９によって現場の周辺を撮影し、送信することで、センター側で現場の様子を把握することができる。更に、ＧＰＳ機能等により、自動で現場の位置検出を素早く確実に行うこともできる。更に、検出した位置情報を住所表示に変換し、迅速な救助が可能となる。
【００６５】
また、使用者の装着した携帯電話３０からフラッシュや間欠音を発生させることで、煙等で視界の悪い現場であったり、本人が倒れてしまっていて助けを求めることができないといった場合であっても、被災者の発見を容易にできる。
【００６６】
フィルター箱７を携帯電話３０へ挿入した後に、マスク本体６を展開する。マスク本体６内に収納されている装着ひも２１は、マスクユニット１の展開時に、アイカバー５の粘着部１５によってその一部が引き出されているため、容易にマスク本体６より引き出すことができる。
【００６７】
図５に示す状態まで展開した後に、装着ひも２１を耳に掛け、使用者は各人の適当な位置において、鼻及び口周辺を密封するように、マスク本体６を顔へと押し当て、口部粘着部２７によって接着させる。なお、携帯電話３０を使用せず、マスク３単体で使用することも可能である。
【００６８】
以上により、使用者は有毒ガスや有毒物質等から眼及び呼吸器を保護しつつ避難等行うことが可能となる。更に、携帯電話３０と連動させることで、非常時においても確実かつ速やかに所定機関への通報が行え、迅速な救助が可能となる。
【００６９】
通報が自動で行われるため、通報時間が短縮され、また、両手があくことで、素早い避難の他、現場の消火活動や救助活動を行うことも可能になる。
【００７０】
また、被災者がパニック状態であり、正確な状況判断の行えない場合や、土地勘がない場合であっても、現場の特定を正確に行うことが可能である。
【００７１】
次に、本発明の第２実施形態について説明する。図１１は、本実施形態で用いる空気口付き携帯電話４０の表面図であり、図１２はその裏面図である。空気口付き携帯電話４０の両面、４０Ａ面、４０Ｂ面には空気口４１が設けられている。
【００７２】
携帯電話４０の内部は一部空洞となっており、表面空気口４１Ａと、裏面空気口４１Ｂは、ヒンジ部４２を介して連通している。
【００７３】
図１３は、本実施形態における、スペア付きマスクユニット４３の側面図であり、マスク３とともにフィルターカートリッジ４５が内包されている様子を示す。フィルターカートリッジ４５の内部には、フィルター８が収納されている。なお、フィルターカートリッジ４５は１枚に限らず複数枚収納することも可能となっている。
【００７４】
スペア付きマスクユニット４３の展開方法は、第１実施形態と同様とするが、フィルターカートリッジ４５はマスク３に仮止めされており、開封時の衝撃によって飛び出すことがないが、開封後はわずかな力で簡単に引きはがせるようになっている。
【００７５】
図１４は、空気口付き携帯電話４０にマスク３及びフィルターカートリッジ４５を装着するときの様子を示す。フィルターカートリッジ４５は、図１１に示す空気口付き携帯電話４０の４０Ａ面に、マスク３のフィルター箱７は図１２に示す４０Ｂ面に、図１４中矢印のように、それぞれ挿入されるようになっている。
【００７６】
フィルターカートリッジ４５及びマスク３のフィルター箱７の装着方法は第１実施形態と同様とし説明は省略する。
【００７７】
フィルターカートリッジ４５の下部にはカートリッジ開口部４７が設けられており、そこから外気を取り入れるようになっている。フィルターカートリッジ４５は適宜交換可能とし、図１１に示すように、装着した空気口付き携帯電話４０のアンテナ４９を図中矢印のように押し込むことで板バネ３３がはずれ、フィルターカートリッジ４５をはずすことができるようになっている。
【００７８】
次に、本実施形態の作用について説明する。スペア付きマスクユニット４３を展開し、アイカバー５を装着した後にマスク３とフィルターカートリッジ４５を図１４中矢印で示すように挿入する。
【００７９】
完全に挿入し、板バネ３３によって係止されたら、装着ひも２１を広げてマスク３を展開する。このときの様子を図１５に示す。
【００８０】
図１５において、使用者の呼吸によって、フィルターカートリッジ４５のカートリッジ開口部４７より取り入れられた外気は、図中矢印で示すように、フィルターカートリッジ４５内を通り、空気口付き携帯電話４０の空気口４１Ａから、空気口付き携帯電話４０の内部空洞を介し、空気口４１Ｂへと吸引される。
【００８１】
フィルター８の開口部９Ａ、９Ｂから、密封されたマスク本体６内へと供給される空気は、空気口４１Ｂから流れてきた外気とフィルター８の開口部９Ｃから取り入れられた外気が、フィルター８で濾過されたものである。
【００８２】
携帯電話カメラ３９は、フィルターカートリッジ４５によって、空気口付き携帯電話４０の表面４０Ａ面に配設できない場合には、ヒンジ部４２やアンテナ４９等に配設してもよい。また、空気口付き携帯電話４０の側部に配設するのでもよい。
【００８３】
なお、フィルター箱７及びフィルターカートリッジ４５の大きさは、空気口付き携帯電話４０と一致しているとは限らず、必要に応じてフィルター８及びフィルターカートリッジ４５の大きさを大きくもしくは小さくしてもよいし、携帯電話カメラ３９等の邪魔にならない位置にずらして配置をしてもよい。
【００８４】
スペア付きマスクユニット４３内に、フィルターカートリッジ４５が複数個内包されている場合には、フィルターカートリッジ４５を取り替えることで、更に長時間の使用が可能となる。アンテナ４９を押し込むことでフィルターカートリッジ４５は容易にはずすことが可能であるから、新たなフィルターカートリッジ４５を挿入すればよい。
【００８５】
以上により、空気口付き携帯電話４０の両面にフィルター８を配設することで、片面のみの場合よりもより確実に、かつ長時間の使用が可能となる。加えて、カートリッジ式にして交換可能としたことで、更に使用時間を延ばすことができる。
【００８６】
次に、本発明の第３実施形態について説明する。図１６は本実施形態の側面図であり、空気口付き携帯電話４０に、フィルターセット５０が装着されている状態を示す。
【００８７】
フィルターセット５０は、フィルター８を内包したフィルターカートリッジ４５を、アイカバー５が覆うように構成されており、開封片１０を引っ張ることで、アイカバー５を展開し、アイカバー５とフィルターカートリッジ４５を分離することが可能となっている。
【００８８】
アイカバー５を展開しても、フィルターカートリッジ４５は空気口付き携帯電話４０の表面に嵌合した状態で残っている。なお、フィルターカートリッジ４５は、空気口付き携帯電話４０の片面のみに装着させれてもよく、その場合には、使用者側である４０Ａ面に装着されるようになっている。
【００８９】
４０Ａ面に装着されるフィルターカートリッジ４５は今までに述べたような平面状のマスク３を用いてもよいが、図１７に示すような立体マスク５２を使用してもよい。立体マスク５２は、例えばゴム材等でできており、携帯時には圧縮されてコンパクトな形状となっている。これを、使用時に展開することで顔の形状に密着するような立体形を形成するようになっている。
【００９０】
立体マスク５２は、図１７中矢印で示すように、フィルターカートリッジ４５に挿入できるようになっている。立体マスク５２は、図に示すようにバンド５３によって頭部に装着されてもよいし、片手で顔に押し当てる状態で使用してもよい。
【００９１】
なお、図９における通報スイッチ３７を作動させるためのスイッチ穴３５は、空気口付き携帯電話４０の４０Ａ面に装着されたフィルターカートリッジ４５の下部に配設されており、突設棒２５は、立体マスク５２の下部に配設されている。
【００９２】
次に、本発明の作用について説明する。開封片１０を引っ張ると、フィルターセット５０は開封され、アイカバー５が分離される。アイカバー５を展開して装着した後、立体マスク５２を開封し、立体マスク５２を図１７中矢印のように、空気口付き携帯電話４０に装着されているフィルターカートリッジ４５に挿入する。立体マスク５２が最後まで挿入されると、図９に示す通報スイッチ３７に通電し、自動通報される。
【００９３】
開封した立体マスク５２の形状は立体的であるため、隙間から外気が侵入することを防止できる。従って、立体マスク５２内へと供給されるのは、フィルター８を通った空気のみとなる。
【００９４】
なお、空気口付き携帯電話４０とフィルターセット５０は取り外し可能となっている。そのため、フィルターカートリッジ４５、４６は交換可能であり、一度使用してしまったり、使用中にフィルター機能が低下してしまったり、もしくは長期間使用しなかった場合にも、常に新しいものと取り替えることができる。
【００９５】
以上により、フィルターカートリッジ４５、４６が予め空気口付き携帯電話４０に装着されていることで、緊急時にあわててしまい、細かな作業を行いづらい環境であっても、すぐに、そして確実に装着できるため、迅速な通報及び避難が可能となる。また、マスク形状も立体的であるため、高い気密性が保たれる。
【００９６】
次に、本発明の第４実施形態について説明する。図１８は、マスク３と、携帯電話６０がケーブル６２によって接続されている状態を示す。マスク３は、マスク本体６に通信器等内蔵フィルター箱５５が配設されたものであり、第１実施形態と同様に、アイカバー５によってマスク３が内包され、マスクユニット形状になっているものを展開して使用する。
【００９７】
通信器等内蔵フィルター箱５５は、フィルター８の他に、マスクスピーカ５６、マスクカメラ５７、マスクマイク５８を内蔵している。
【００９８】
通信器等内蔵フィルター箱５５からはケーブル６２が伸びており、ケーブル６２の先端には、携帯電話６０の接続端子６１に接続可能な端子６３が配設されている。接続端子６１に端子６３が挿入されると、図９に示す通報スイッチ３７が通電し、自動で所定機関等への通報が行われるようになっている。
【００９９】
通報スイッチ３７は、ケーブル６２が携帯電話６０に接続されることで通電する。ケーブル６２の端子６３又は携帯電話６０の接続端子６１の周辺に機械接点を配設してもよいが、接続の際のインピーダンス等の変化をとらえてスイッチが入るようにしてもよい。
【０１００】
従って、使用者は、初めにマスクユニット形状を開封し、図示しないアイカバー５を装着する。その後、マスク３を展開して装着し、ケーブル６２の先端の端子６３を携帯電話６０の接続端子６１に挿入する。
【０１０１】
マスク３に配設された通信器等内蔵フィルター箱５５に内蔵された、マスクカメラ５７、マスクマイク５８からの情報は、ケーブル６２を通して携帯電話６０に伝えられ、携帯電話６０によってダイヤルされた所定機関等へと送信される。
【０１０２】
また、各機関等からの情報も、携帯電話６０からケーブル６２を通してマスク３へと送られ、マスクスピーカ５６によって出力される。通信器等内蔵フィルター箱５５の電源もまた、ケーブル６２を介して携帯電話６０より供給される。
【０１０３】
なお、ケーブル６２を用いずに、無線によってマスク３と携帯電話６０の通信を行ってもよい。その場合、図１９に示すように、電源として小型のボタン型電池６５と、携帯電話と交信するための通信器６６を内蔵した、無線用通信器内蔵フィルター箱６４を用いる。図１９において、開封片１０を引っ張ると、マスクユニット１が開封されると同時に、絶縁材６７が引き出され、ボタン型電池６５が通電状態となり、通報スイッチ３７が通電される。
【０１０４】
また、図２０に無線交信をしたときの一例を示す。携帯電話６０には、通信器６６と交信するための通信器６８が内蔵されている。通信器６６と通信器６８はそれぞれ固有の周波数によって交信しており、他の周波数を有するマスク３とは交信できないようになっている。
【０１０５】
従って、図２０に示すように、複数のマスク３をセットとし、同一周波数の通信器６６を配設することで、各マスク３使用者の間での無線通話が可能となる。
【０１０６】
更に、携帯電話６０を介することで電話回線を使用することもできるため、各マスク３使用者から、センターへの通報及び交信が行える。
【０１０７】
例えば、家族等で同一周波数のマスク３を備えていれば、携帯電話等を持っていない子供でも親との交信や、所定機関等への通報を行うことができる。
【０１０８】
なお、通信器６８は、常に待機状態として電源の入った状態であってもよいが、携帯電話６０に受信器スイッチボタン６９を配設し、押したときのみ作動するようにしてもよい。
【０１０９】
以上により、携帯電話６０は、ポケットや鞄等に入れたままでも使用でき、使用者の使用感を向上させることが可能となる。更に、ケーブル６２を使用せずに無線交信とすれば、携帯電話の回線を使用した通報のみでなく、無線によって携帯電話等を使用しなくとも、マスク３のみで会話を行うことも可能である。
【０１１０】
次に、本発明の第５実施形態について説明する。図２１は、本実施形態の側面図である。使用するマスクは折り畳み可能な携帯用簡易型に限ったものではなく、図２１に示すように、長時間高濃度でも使用可能な従来型の防毒マスク７０を用いてもよい。
【０１１１】
防毒マスク７０の側部には、携帯電話設置部７２が配設されており、そこに通報機能付き携帯電話７５が挿入されるようになっている。携帯電話設置部７２の底部には突設棒２５が配設されており、通報機能付き携帯電話７５の先端にはスイッチ穴３５が設けられている。
【０１１２】
従って、通報機能付き携帯電話７５を、携帯電話設置部７２に挿入すると、携帯電話設置部７２の突設棒２５が、通報機能付き携帯電話７５のスイッチ穴３５に嵌入し、図９に示す通報スイッチ３７が通電状態となる。
【０１１３】
以上により、例えば救助に向かう人や、危険な現場であり、防毒マスク７０を常備しているような職場等においても、一連の通報システムを効果的に使用することが可能となる。
【０１１４】
次に、本発明の第６実施形態について説明する。図２２は本実施形態のシステムブロック図であり、同一災害現場にいる被災者間通話を、センターを介して行える状態を表わしている。
【０１１５】
第６実施形態において、センターへと通報した被災者の回線は、センターの送受信回路１１０へとつながれるようになっている。送受信回路１１０からは、受話及び送話回線へとつながれ、オペレータを介しての、一対一の通話が行われる。更に、マスクカメラ５７等により撮影された画像情報も送受信回路１１０を介して画像処理回路１１８へと送信されるようになっている。
【０１１６】
更に、使用者の位置情報も通報スイッチ３７と連動して発信され、ＧＰＳや、電波基地を用いた位置測定等によりセンターで把握できるようになっている。  このとき、例えば火災検知装置（特開２００２−１００４８４）等と連動させることも可能である。この火災検知装置では、火災等災害発生時にそれを検知し、所定のセンターに自動連絡が可能である。
【０１１７】
その通報より、センターに登録がしてあれば、住所や現場の状況、家族構成、病歴等細かな情報を取得することができる。また、センターに各種情報の登録がされていなくても、ナンバーディスプレイ機能で取得された電話番号をもとに住所や位置検索、電話機の登録者情報等を検索することも可能である。
【０１１８】
各種位置情報や画像情報は、画像処理されてオペレータの画面へと表示され、現場状況の把握や、避難回路のガイド等に利用できるようになっている。
【０１１９】
また、このような通話、画像記録は、データとして記憶されており、センターにおいて通報が真実であると確認されたときに、消防署をはじめとした各種機関へと通報及びデータの転送が行われるようになっている。
【０１２０】
センターに複数の通報が届いた場合、同一災害判定回路１１２が設置されており、各通報の位置情報から、同時期の通報が同一災害に属するか否かを判定できるようになっている。即ち、各通報元の位置が所定の限られたエリア内に存在し、かつ同時期に発生している場合に同一災害と判定される。
【０１２１】
同一災害であると判定された場合、センターにおいてオペレータは、スイッチ１１４を切り替えることで、個別であった各受話回線をミキシング回路１１６へとつなげることができるようになっている。また、スイッチ１１５を切り替えることで各送話回線をミキシング回路１１７へとつなげることができるようになっている。
【０１２２】
ミキシング回路１１６、１１７は、各使用者の通話信号を混合させ、複数人の同時通話を行えるようにしている。
【０１２３】
次に、本実施形態の作用について説明する。図２３は、通報時のセンターでの各処理ステップのフローチャートである。
【０１２４】
通報があると、回線はオペレータへとつながり、音声はそのまま届けられる。位置情報は画像処理されて表示されるが、そのときの処理ステップは以下の通りである。
【０１２５】
図２３のステップ１（以下Ｓ１と略す。以下同様）において、受信した位置信号に基づきステップ３で緯度及び経度等の位置情報の検出が行われる。これより更にステップ５で住所等の判定を行ってもよいし、そのままステップ７で画像のデータベース検索を行ってもよい。
【０１２６】
ステップ７でその住所等を含む適当な画像が検索され、その結果、ステップ９で画像がデータベースより抽出される。なお、センターには現場よりマスクカメラ５７や携帯電話カメラ３９からも、画像が撮影されて送られてきている。そして、ステップ１１で受信した画像情報をもとにステップ１３で画像作成が行われ、ステップ９で抽出された画像とともに、ステップ１５において合成され、ステップ１７で画面表示される。
【０１２７】
更に、同一災害に遭っている、他の使用者からの画像も同様に送信されてきているが、それらを同時表示することで、より現場の状況を把握し易くすることもできる。
【０１２８】
図２４、図２５は、センターでの表示画面の例である。図２４は災害現場の周辺地図であり、通報現場付近の詳細な地図とともに、住所表示や、被災者のカメラから送られてきた現場映像等を同一画面にウィンドウ表示をすることもできる。
【０１２９】
図２５は建物内で火災が発生した場合の表示例である。データベースより建物内のフロア図等を表示させ、ビル等複数階の建物においては階数情報とともに、階段や出口といった避難経路を案内することができる。
【０１３０】
なお、火災検知装置からの通報があった場合には、図２５の火点を示す図のように、詳細な火災発生位置を特定し、表示することも可能である。
【０１３１】
更に、同一災害現場より複数通報があった場合には、各画像情報をウィンドウ表示し、画面上で切り替えながら、適切な避難経路等を案内することができる。
【０１３２】
図２４、図２５のどちらの例の場合にも、ＧＰＳや電波基地情報を合わせることで、詳細な情報収集及び照合が可能である。
【０１３３】
以上により、センターにおいて適切な避難経路等を指示可能とするとともに、現場での被災者間会話等を可能とすることで、迅速な救助活動や避難、情報の確保が行える。
【０１３４】
次に、本発明の第７実施形態について説明する。図２６は、本実施形態のシステムブロック図であり、携帯電話２００とセンターとの通話及び通信の流れを示す。
【０１３５】
携帯電話２００において、操作部２０１は、入力インターフェイス２０２を介して、制御演算回路２０３へと接続されている。制御演算回路２０３には、送受信回路２１８、記憶部２０５、表示回路２１４、画像処理回路２０７、送受話回路２１２、インターフェイス２１６が接続されている。
【０１３６】
制御演算回路２０３は、電話機能、通信機能、時計機能、カレンダー機能、アドレス帳機能及びカメラ機能等の処理を行うようになっている。
【０１３７】
記憶部２０５は、ＲＡＭやＲＯＭから構成され、各種履歴、アドレス帳、画像の他、システムの基本データ等も保存されるようになっている。表示回路２１４は、液晶画面等のユーザーインターフェイスである。画像処理回路２０７は、携帯電話カメラ３９に接続し、画像の撮影及びデータ処理を行うようになっており、送受話回路２１２は、マイク２０９、スピーカ２１０と接続し、通話及び各種メロディ等の入出力が行われるようになっている。
【０１３８】
音声及びデータは、送受信回路２１８によって送信され、無線局を介して、センター側の送受信回路２３０と通信し、オペレータとの通話や、画像等の送信が行えるようになっている。
【０１３９】
携帯電話２００には、アダプタ２２１が取り付け可能となっている。アダプタ２２１に配設された外付け端子２２０は、携帯電話２００に設けられた接続端子２２３と接続自在なようになっている。インターフェイス２１６は、この接続端子２２３と接続され、外部との信号の授受等を行うようになっている。
【０１４０】
アダプタ２２１を使用することによって、無線用通信器内蔵フィルター箱６４を装着した、マスク３の使用者は、携帯電話２００と無線交信を行えるようになっている。
【０１４１】
アダプタ２２１が携帯電話２００に接続されたことを検知するには、これまでに説明したような機械接点を、接続端子２２３又は外付け端子２２０に設けるようにしてもよいし、無電圧検知回路や、インピーダンス等の変化を検知する回路によってもよい。この検知により、通報スイッチ３７が通電し、自動で通報が行われたり、通話が可能となる。機械接点を外付け端子２２０に設けたり、無電圧検知回路等を設けることとすれば、携帯電話２００側に構造的な改造を行わずにすむ。但し、自動での通報等を行わず、手動によるボタン操作で通報等が可能とされてもよい。
【０１４２】
アダプタ２２１には、外付け端子２２０と接続した、アダプタ送受信回路２２２が内蔵されている。アダプタ送受信回路２２２は、外付け端子２２０が携帯電話２００の接続端子２２３に接続されることにより機能し、無線用通信器内蔵フィルター箱６４の、マスク送受信回路２２５と無線交信可能となる。この間の交信は、例えば、ＡＭ、ＦＭなどの、特定周波数の電波を用いることで、同一周波数同士での交信が行えるようになっている。特定周波数を異ならせれば、異なる周波数同士の間では交信されない。
【０１４３】
次に、センターにおける処理について説明する。センターでは、携帯電話２００の送受信回路２１８から送受信された情報を、送受信回路２３０で送受信し、オペレータと使用者の、送話及び受話が行えるようになっている。
【０１４４】
同時に、送受信回路２３０で受信した、画像情報、位置情報は、画像処理回路２３２へと送られ、データベースを参照し、住所等必要情報と合成して表示されるようになっている。なお、第６実施形態で説明した火災検知装置の火点情報を取得し、画像処理を行ってもよい。
【０１４５】
画像情報は、使用者の携帯電話カメラ３９もしくはマスクカメラ５７から送信される。通報スイッチ３７の通電と連動して携帯電話カメラ３９からマスクカメラ５７へと送信元が切り替わるようになっている。また、位置情報は、ＧＰＳや無線基地局等の情報から解析可能となっている。但し、位置情報は別途提供されるサービスにより取得するようにしてもよい。
【０１４６】
このときの、通話内容、画像情報、位置情報は通話・画像等記憶部２３４に記憶されるようになっている。記憶された各情報は、編集及び表示可能であり、また、センターにおいて通報が真実であると確認されたとき、転送ボタン２３６を押すことで、各機関へ記憶された各情報を転送することができるようになっている。
【０１４７】
但し、転送ボタン２３６は、常に接続された状態でもよく、センターでの処理を介さずに、通報と同時に転送するようにしてもよい。
【０１４８】
以上のように、外付けのアダプタ２２１を用いたことで、従来の携帯電話２００に対しても、大幅な改造を加えることなく、一部のソフトウェア的な機能の追加等で本発明の利用が可能である。
【０１４９】
また、無線用通信器内蔵フィルター箱６４は、特定周波数で通信可能となっているので、一台の携帯電話２００を同一周波数の通信器６６を持つ複数人が使用することが可能となる。更に、携帯電話２００を介さずに、各使用者間での無線通話も行うことができる。
【０１５０】
従って、同周波数の通信器６６を内蔵した無線用通信器内蔵フィルター箱６４を家族等で所持することにより、例えば、携帯電話を所持していない子供であっても、保護者の携帯電話２００を介して、センターへの通報を行うことでき、また、無線機能によって、家族と通話を行うこともできるため、家族単位等での救出及び迅速な保護を行える。
【０１５１】
更に、予めセンターにデータベースとして家族構成や各人の健康状態等を登録しておけば、通報のあった携帯電話２００の電話番号から情報を検索し、より、確実かつ安全な救助活動を行うことができる。
【０１５２】
なお、アダプタ送受信回路２２２は、携帯電話に内蔵させることも可能である。
【０１５３】
次に、本発明の第８実施形態について説明する。図２７は、本実施形態の全体構成図である。耳掛けアダプタ３１０には、アダプタスピーカ３２０、アダプタマイク３２２、アダプタカメラ３２４が配設されており、また、耳掛けアダプタ電池３１４及び無線器３１２が内蔵されている。携帯電話３００には、無線器３１５が内蔵されており、耳掛けアダプタ３１０と無線通信が行えるようになっている。
【０１５４】
耳掛けアダプタ３１０には耳掛け３１８が配設されており、耳に装着して使用できるようになっている。アダプタスピーカ３２０、アダプタマイク３２２によって、携帯電話３００を介した通話が可能である。
【０１５５】
また、ＩＣやカード、ミニディスク等の記録媒体やインターネットのダウンロードを利用可能なようになっている。そして、ポータブルプレイヤーのように、携帯電話３００に保存されている音楽等を受信したり、音楽等を携帯電話３００を介してリアルタイムに受信しつつ楽しむことも可能となっている。
【０１５６】
また、耳掛けアダプタ３１０は、マスクユニット１とともに使用できるようになっている。図２８は、マスク３に耳掛けアダプタ３１０を装着したときの側面図である。
【０１５７】
マスク３には、アダプタ装着用フィルター箱３３０が取り付けられている。図２９に、アダプタ装着用フィルター箱３３０の全体構成図を示す。図２９（ａ）は、正面図であり、図２９（ｂ）は、図２９（ａ）中のＢ−Ｂ矢視線断面図である。
【０１５８】
アダプタ装着用フィルター箱３３０には、凹部３１９が形成され、この凹部３１９の内壁面には、伝導性材の板バネ３２６と、弾性材の係止爪３２７が配設されている。
【０１５９】
耳掛けアダプタ３１０の後方端部の、表面側部２カ所、裏面側部２カ所には、爪用穴３１７が形成されている。アダプタ装着用フィルター箱に形成された係止爪３２７の先端は鍵状に曲げられており、その先端部が爪用穴３１７に嵌合されるようになっている。
【０１６０】
耳掛けアダプタ３１０の後方側面には上下に２つの電極部３２８が配設されている。耳掛けアダプタ３１０をアダプタ装着用フィルター箱３３０の凹部に装着すると、板バネ３２６が一度に上下２つの電極部３２８へと接触するようになっているため、電極部３２８は通電状態となる。このときの状態を図３０に示す。
【０１６１】
耳掛けアダプタ３１０を耳からはずし、マスク３に装着して使用する場合には、電極部３２８への通電がスイッチとなり、耳掛け時に使用するアダプタスピーカ３２０から、上面スピーカ３３２へと切り替わるようになっている。
【０１６２】
耳掛けアダプタ３１０をマスク３に装着した場合には緊急時の場合である。従って、電極部３２８の通電を感知して、装着行為がスイッチとなり、センターや所定機関等へと自動通報されるようになっている。
【０１６３】
なお、マスク３に装着しなくても緊急時の通報が行えるように、耳掛けアダプタ３１０には緊急通報ボタン３５２が配設されている。緊急通報ボタン３５２は、誤動作防止のために、カバー等で保護されてもよいし、携帯電話３００に同様のボタンを配設して、２つを同時に操作することでスイッチが入るようにしてもよい。又は、携帯電話３００にのみ配設する等されてもよい。
【０１６４】
また、耳掛けアダプタ３１０には耳掛けアダプタ通話ボタン３４１が配設され、通話に切り替えられるようになっている。更に、操作スイッチ３４３により早送り、巻き戻し、再生、停止、カメラ操作等の操作が可能なようになっている。掛かってきた相手先の電話番号や選択されたモード等は液晶画面３４０に表示されるようになっている。
【０１６５】
次に、本実施形態の作用について説明する。耳掛けアダプタ３１０をアダプタ装着用フィルター箱３３０の凹部３１９に押し込むと、係止爪３２７は外側へと変形する。耳掛けアダプタ３１０が凹部３１９に最後まで挿入されると、係止爪３２７は復元して耳掛けアダプタ３１０に開口した爪用穴３１７へと嵌入し、固定する。
【０１６６】
図３１は、耳掛けアダプタ３１０の通信機能のブロック図である。通信通話回路３３７には、アダプタスピーカ３２０、アダプタマイク３２２、アダプタカメラ３２４の各回路がつながれており、各回路からの入力、出力情報は、通信通話回路３３７と無線器３１２によって携帯電話３００と交信される。
【０１６７】
携帯電話３００に配設された、図示しないスピーカ、マイク、カメラ等と、耳掛けアダプタ３１０のアダプタスピーカ３２０、アダプタマイク３２２、アダプタカメラ３２４は適宜切り替える、もしくは同時に使用することも可能である。従って、携帯電話３００のカメラ機能と、耳掛けアダプタ３１０の通話機能によって、テレビ電話として使用することもできる。
【０１６８】
また、アダプタカメラ３２４を使用すれば、使用者の目線での撮影が可能であり、使用者の好みと用途に合わせた使用が可能である。更に、火災時に使用された場合には、使用者の目線における火災の状況をセンター側で把握できる。なお、アダプタマイク３２２は口元に近づけ感度を上げるため引き出し自在とされたり、図示しないマイク保持部材を別途配してその先端部に配設するようにしてもよい。
【０１６９】
また、アダプタマイク３２２を耳孔に挿入することで、耳の骨伝導される声を拾うようにしてもよい。このとき、アダプタスピーカ３２０は、アダプタマイク３２２の外側周囲に位置するように配設されるのが望ましい。
【０１７０】
耳掛けアダプタ３１０には、アダプタスピーカ３２０、アダプタマイク３２２、アダプタカメラ３２４のすべてを必ずしも備える必要はなく、例えばアダプタスピーカ３２０のみを備える等されてもよい。この場合には、耳掛けアダプタ３１０では、音や音声を聞くことのみに特化される。このとき、送話は携帯電話３００側のマイクに向かって話し、携帯電話３００側のカメラで撮像を行い、通話の相手方に送る。相手方の声はアダプタスピーカ３２０で聞くことができる。
【０１７１】
なお、耳掛けアダプタ３１０で音楽を聞いている最中に電話の掛かってきた場合には、電話の掛かってきたことを割り込みの音声により知らせる。このとき、ユーザーは耳掛けアダプタ３１０に配設された耳掛けアダプタ通話ボタン３４１を押すことで通話可能である。通話の終了に伴い、再び音楽に切り替わる。相手の電話番号は液晶画面３４０に表示される。
【０１７２】
耳掛けアダプタ３１０に配設された、緊急通報ボタン３５２を押すと、緊急送信回路３４５が動作し、通信通話回路３３７、無線器３１２を介して携帯電話３００と接続される。そして、所定の緊急連絡先へと自動接続が行われる。所定の緊急連絡先の登録及び呼び出し機能は携帯電話３００側に設けられてもよいし、耳掛けアダプタ３１０側に設けられてもよい。
【０１７３】
緊急通報ボタン３５２と並列に、電極部３２８により構成されるリミットスイッチ回路３４９が配設される。そして、このリミットスイッチ回路３４９は、上下の電極部３２８が通電することによりスイッチが入るようになっている。
【０１７４】
従って、緊急通報ボタン３５２が操作されなくても、耳掛けアダプタ３１０をマスク３に装着することでリミットスイッチ回路３４９が動作して、自動で通報が行われる。また、この際には、このリミットスイッチ回路３４９により音量の小さなアダプタスピーカ３２０から音量の大きな上面スピーカ３３２へと切り替えられる。
【０１７５】
以上により、耳掛けアダプタ３１０をマスク３に装着するだけで自動通報が行われ、緊急時の時間の節約になる。電話機を手に持つ必要もないので、同時平行して通話しつつ他の作業を行うことができる。また、緊急通報ボタン３５２を押すことで、耳掛けアダプタ３１０をマスク３と独立させた状態でも使用可能である。この場合であっても電話機を手に持つ必要はない。
【０１７６】
以上のような通報システムは、火災等災害に限ったものではなく、使用者の健康状態の変化や、事故、犯罪の遭遇時に利用されてもよい。
【０１７７】
なお、図３２に示すように、耳掛けアダプタ３１０に外部端子３５４を配設し、携帯電話３００の接続端子３５６にて接続自在とされてもよい。この際には、耳掛けアダプタ３１０をマスク３に装着したときのリミットスイッチ回路３４９の動作と、耳掛けアダプタ３１０が携帯電話３００の接続端子３５６からはずされたときの無電圧状態の検知（もしくは端子回りに配設されたリミットスイッチの動作）の双方が働くことで自動通報を行う。耳掛けアダプタ３１０のバッテリーは充電式として、外部端子３５４を介して携帯電話３００側より給電されるのが望ましい。
【０１７８】
【発明の効果】
以上説明したように本発明によれば、火災等の災害に遭遇したときに、簡易かつ迅速に呼吸を確保すると共に眼を保護し、緊急連絡先に対し迅速に連絡可能である。また、緊急連絡先や同一災害に遭遇している他の人等と容易に連絡が取れ、避難経路等の誘導が行え、現場の確認ができる。
【図面の簡単な説明】
【図１】マスクユニットの側面図
【図２】マスクユニットの正面図
【図３】アイカバー展開図
【図４】マスク正面図
【図５】マスク展開図
【図６】携帯電話の図
【図７】携帯電話へのマスク装着図
【図８】図７中のＡーＡ矢視線断面図
【図９】通報システムのブロック図
【図１０】携帯電話を装着したマスクユニットの使用図
【図１１】空気口付き携帯電話の表面図
【図１２】空気口付き携帯電話の裏面図
【図１３】スペア付きマスクユニットの側面図
【図１４】マスク及びフィルターカートリッジの携帯電話への装着図
【図１５】第２実施形態の装着図
【図１６】第３実施形態の側面図
【図１７】立体マスクと携帯電話の組みたて及び装着図
【図１８】ケーブルによってつながれた、マスクと携帯電話の図
【図１９】ボタン型電池と通信器を内蔵したマスクユニットの側面図
【図２０】無線交信時の概念図
【図２１】第５実施形態の側面図
【図２２】第６実施形態のシステムブロック図
【図２３】センターの処理ステップのフローチャート図
【図２４】災害現場の周辺地図表示例
【図２５】建物内で火災が発生したときの現場状況表示例
【図２６】第７実施形態のシステムブロック図
【図２７】第８実施形態の全体図
【図２８】マスクに耳掛けアダプタを装着した側面図
【図２９】アダプタ装着用フィルター箱の図
【図３０】耳掛けアダプタをアダプタ装着用フィルター箱に装着したときの断面図
【図３１】耳掛けアダプタの通信機能のブロック図
【図３２】耳掛けアダプタが外部端子を介して携帯電話と接続される例
【符号の説明】
１  マスクユニット
３  マスク
５  アイカバー
６  マスク本体
７  フィルター箱
８  フィルター
３０、６０、７５、２００  携帯電話
３７  通報スイッチ
３９  携帯電話カメラ
４０  空気口付き携帯電話
４１  空気口
４３  スペア付きマスクユニット
４５  フィルターカートリッジ
５０  フィルターセット
５２  立体マスク
５５  通信器等内蔵フィルター箱
５６  マスクスピーカ
５７  マスクカメラ
５８  マスクマイク
５９、６６、６８、２２３  通信器
６４  無線用通信器内蔵フィルター箱
７０  防毒マスク
１１０  送受信回路
１１２  同一災害判定回路
１１４、１１５  スイッチ
１１６、１１７  ミキシング回路
２０１  操作部
２０２  入力インターフェイス
２０３  制御演算回路
２０５  記憶回路
２０７  画像処理回路
２０９  マイク
２１０  スピーカ
２１２  送受話回路
２１４  表示回路
２１６  インターフェイス
２１８  携帯電話送受信回路
２２０  外付け端子
２２１  アダプタ
２２２  アダプタ送受信回路
２２５  マスク送受信回路
２３０  センター送受信回路
２３２  画像処理回路
２３４  画像等記憶部
３１０  耳掛けアダプタ
３１２  無線器
３１３  アダプタ端子
３１４  耳掛けアダプタ電池
３１８  耳掛け
３２０  アダプタスピーカ
３２２  アダプタマイク
３２４  アダプタカメラ
３３０  アダプタ装着用フィルター箱
３２６  板バネ
３２８  電極部
３３７  通信通話回路
３４１  無電圧検知回路
３４３  操作スイッチ
３４５  緊急送信回路
３４７  電源スイッチ
３４９  リミットスイッチ回路
【図１】
2004313532.tif 000003
【図２】
2004313532.tif 000004
【図３】
2004313532.tif 000005
【図４】
2004313532.tif 000006
【図５】
2004313532.tif 000007
【図６】
2004313532.tif 000008
【図７】
2004313532.tif 000009
【図８】
2004313532.tif 000010
【図９】
2004313532.tif 000011
【図１０】
2004313532.tif 000012
【図１１】
2004313532.tif 000013
【図１２】
2004313532.tif 000014
【図１３】
2004313532.tif 000015
【図１４】
2004313532.tif 000016
【図１５】
2004313532.tif 000017
【図１６】
2004313532.tif 000018
【図１７】
2004313532.tif 000019
【図１８】
2004313532.tif 000020
【図１９】
2004313532.tif 000021
【図２０】
2004313532.tif 000022
【図２１】
2004313532.tif 000023
【図２２】
2004313532.tif 000024
【図２３】
2004313532.tif 000025
【図２４】
2004313532.tif 000026
【図２５】
2004313532.tif 000027
【図２６】
2004313532.tif 000028
【図２７】
2004313532.tif 000029
【図２８】
2004313532.tif 000030
【図２９】
2004313532.tif 000031
【図３０】
2004313532.tif 000032
【図３１】
2004313532.tif 000033
【図３２】
2004313532.tif 000034